(57)【要約】      （修正有）【課題】効率的に指針の位置を修正することができる時計システムおよび指針位置修正方法を提供する。【解決手段】時計システム１は、通信機器２００と通信機器２００と通信可能な時計１００とを備える。時計１００は、通信機器２００と通信する時計通信部１１１と、時計通信部１１１が通信機器２００との通信を確立した後に通信機器から指針位置修正情報を受信すると、指針位置修正情報に基づき指針位置修正を行う時計制御部１０１と、を備える。時計１００と通信機器２００とは、時計１００が指針位置修正情報を受信した後に通信を切断する。時計制御部１０１は、通信機器２００との通信が切断した後に、指針位置修正を開始し、指針位置修正の完了後に通信機器２００との通信を再確立させる。【選択図】図１
2018124094.tif 000002
【特許請求の範囲】
【請求項１】
通信機器と当該通信機器と通信可能な時計とを備える時計システムであって、
前記時計は、
前記通信機器と通信する時計通信部と、
前記時計通信部が前記通信機器との通信を確立した後に当該通信機器から指針位置修正情報を受信すると、前記指針位置修正情報に基づき指針位置修正を行う時計制御部と、
を備え、
前記時計と前記通信機器とは、前記時計が前記指針位置修正情報を受信した後に通信を切断し、
前記時計制御部は、前記通信機器との通信が切断した後に、前記指針位置修正を開始し、当該指針位置修正の完了後に前記通信機器との通信を再確立させる
ことを特徴とする時計システム。
【請求項２】
前記指針位置修正は、基準値に対応する暫定指針位置まで内部カウンタを更新しながらモータにより指針を移動させる動作を含み、
前記通信機器は、
前記時計と通信する通信機器通信部と、
前記暫定指針位置を特定する暫定指針位置特定情報が入力される第１入力部と、
前記通信機器通信部が前記時計との通信を再確立した後、前記暫定指針位置特定情報を前記時計に送信する通信機器制御部と、
を備え、
前記時計と前記通信機器とは、前記時計が前記暫定指針位置特定情報を受信した後に通信を切断し、
前記時計制御部は、前記通信機器との通信が切断した後に、受信した暫定指針位置特定情報に基づいて前記基準値に向けて前記内部カウンタを更新しつつ前記指針を前記モータにより移動させることで前記指針を粗調指針位置まで移動させ、移動の完了後に前記通信機器との通信を再確立させる
ことを特徴とする請求項１に記載の時計システム。
【請求項３】
前記通信機器は、前記指針の位置の移動指示を入力可能な第２入力部を備え、
前記時計制御部は、前記第２入力部に入力された移動指示に基づき前記指針を移動させる
ことを特徴とする請求項１または請求項２に記載の時計システム。
【請求項４】
前記時計通信部は、周期的な通信電波により通信を行い、当該通信電波の通信タイミングが完了した際に通信電波完了信号を出力し、
前記時計制御部は、前記通信電波完了信号を起点とした運針駆動許可期間の間だけ前記モータの駆動を許可し、
前記モータは、前記運針駆動許可期間の間に、前記指針を移動させる
ことを特徴とする請求項３に記載の時計システム。
【請求項５】
通信機器と当該通信機器と通信可能な時計とを備える時計システムであって、
前記通信機器は、
前記時計の指針を暫定指針位置に移動させる第１モードと、
前記指針を前記暫定指針位置から粗調指針位置に移動させる第２モードと、
前記粗調指針位置を微調整する第３モードと、を備え、
前記時計は、
前記第１モードに対応して、前記指針を前記暫定指針位置に移動前に前記通信機器との通信を切断し、前記暫定指針位置に移動後に当該通信を確立し、
前記第２モードに対応して、前記指針を前記粗調指針位置に移動前に前記通信機器との通信を切断し、前記暫定指針位置に移動後に当該通信を確立し、
前記第３モードに対応して、前記通信機器との通信を維持したまま、前記指針を微調整する
ことを特徴とする時計システム。
【請求項６】
通信機器から通信により時計の指針の位置を修正する指針位置修正方法であって、
通信接続を解除した状態で前記指針の位置を修正するステップと、
通信接続を維持した状態で前記指針の位置を修正するステップと、
を有する指針位置修正方法。
【発明の詳細な説明】
【技術分野】
【０００１】
本発明は、時計システムおよび指針位置修正方法に関する。
【背景技術】
【０００２】
従来より、指針の位置をカウンタで管理し、指針を駆動する時計がある。携帯型の時計はサイズ面からボタン数や表示に限界があり、特に指針位置検出機構を備えない時計においては、複雑な指針位置修正操作が度々必要となってしまい、使用感を損なうといった課題があった。そのため、外部機器より、指針位置を入力し補正する様々な技術が考案されている（例えば、特許文献１及び２参照）。これらは、パーソナルコンピュータやスマートフォンを活用し、指針位置を外部から修正するものである。
【０００３】
また、従来より、ブルートゥース（Ｂｌｕｅｔｏｏｔｈ（登録商標））などの無線通信を用いて、外部機器と通信する時計がある。これらの時計には、外部機器との通信に応じて指針を駆動させているものがある。但し、携帯型の腕時計のようなものは、サイズ面から電池に制約があり、通信とモータの駆動とを同時に行うことができないといった課題があった。このためモータ駆動中は、通信タイミングを制御し、モータの駆動と通信とを重ねないようにするといった技術も考案されている（例えば、特許文献３参照）。
【先行技術文献】
【特許文献】
【０００４】
【特許文献１】特開２０１６−６５８２５号公報
【特許文献２】特開２００４−９３５５７号公報
【特許文献３】特開２０１１−３３４３０号公報
【発明の概要】
【発明が解決しようとする課題】
【０００５】
しかしながら、ブルートゥースの通信は接続を維持するために、所定時間毎に通信を行う必要が有るため、通信タイミングを調整しても、調整できる時間幅に限界がある。また、時計の指針（例えば、日車）によっては、基準位置までの駆動に大幅に時間がかかってしまうものも有る。そのため、特許文献１〜３に記載の技術では、ブルートゥースによる通信を用いて、駆動に時間がかかる指針の位置を修正しようとした場合には、途中で接続を維持するためにモータの駆動を止める必要性が発生してしまい、結果的に調整に時間がかかってしまうという問題がある。
【０００６】
そこで、本発明は上述の事情を鑑みてなされたものであり、効率的に指針の位置を修正することができる時計システムおよび指針位置修正方法を提供することを目的とする。
【課題を解決するための手段】
【０００７】
本発明は、通信機器と当該通信機器と通信可能な時計とを備える時計システムであって、前記時計は、前記通信機器と通信する時計通信部と、前記時計通信部が前記通信機器との通信を確立した後に当該通信機器から指針位置修正情報を受信すると、前記指針位置修正情報に基づき指針位置修正を行う時計制御部と、を備え、前記時計と前記通信機器とは、前記時計が前記指針位置修正情報を受信した後に通信を切断し、前記時計制御部は、前記通信機器との通信が切断した後に、前記指針位置修正を開始し、当該指針位置修正の完了後に前記通信機器との通信を再確立させることを特徴とする時計システムである。
【０００８】
また、本発明の他の態様の時計システムにおいて、前記指針位置修正は、基準値に対応する暫定指針位置まで内部カウンタを更新しながらモータにより指針を移動させる動作を含み、前記通信機器は、前記時計と通信する通信機器通信部と、前記暫定指針位置を特定する暫定指針位置特定情報が入力される第１入力部と、前記通信機器通信部が前記時計との通信を再確立した後、前記暫定指針位置特定情報を前記時計に送信する通信機器制御部と、を備え、前記時計と前記通信機器とは、前記時計が前記暫定指針位置特定情報を受信した後に通信を切断し、前記時計制御部は、前記通信機器との通信が切断した後に、受信した暫定指針位置特定情報に基づいて前記基準値に向けて前記内部カウンタを更新しつつ前記指針を前記モータにより移動させることで前記指針を粗調指針位置まで移動させ、移動の完了後に前記通信機器との通信を再確立させることを特徴とする。
【０００９】
また、本発明の他の態様の時計システムにおいて、前記通信機器は、前記指針の位置の移動指示を入力可能な第２入力部を備え、前記時計制御部は、前記第２入力部に入力された移動指示に基づき前記指針を移動させることを特徴とする。
【００１０】
また、本発明の他の態様の時計システムにおいて、前記時計通信部は、周期的な通信電波により通信を行い、当該通信電波の通信タイミングが完了した際に通信電波完了信号を出力し、前記時計制御部は、前記通信電波完了信号を起点とした運針駆動許可期間の間だけ前記モータの駆動を許可し、前記モータは、前記運針駆動許可期間の間に、前記指針を移動させることを特徴とする。
【００１１】
また、本発明の他の態様は、通信機器と当該通信機器と通信可能な時計とを備える時計システムであって、前記通信機器は、前記時計の指針を暫定指針位置に移動させる第１モードと、前記指針を前記暫定指針位置から粗調指針位置に移動させる第２モードと、前記粗調指針位置を微調整する第３モードと、を備え、前記時計は、前記第１モードに対応して、前記指針を前記暫定指針位置に移動前に前記通信機器との通信を切断し、前記暫定指針位置に移動後に当該通信を確立し、前記第２モードに対応して、前記指針を前記粗調指針位置に移動前に前記通信機器との通信を切断し、前記暫定指針位置に移動後に当該通信を確立し、前記第３モードに対応して、前記通信機器との通信を維持したまま、前記指針を微調整することを特徴とする時計システムである。
【００１２】
また、本発明の他の態様は、通信機器から通信により時計の指針の位置を修正する指針位置修正方法であって、通信接続を解除した状態で前記指針の位置を修正するステップと、通信接続を維持した状態で前記指針の位置を修正するステップと、を有する指針位置修正方法である。
【発明の効果】
【００１３】
本発明によれば、効率的に時計の時刻を修正することができる。
【図面の簡単な説明】
【００１４】
【図１】本発明の実施形態における時計システムの構成を示した概略図である。
【図２】本実施形態における電子時計の外観を示す正面図である。
【図３】本実施形態における指針位置修正方法について説明するための図である。
【図４】本実施形態における時計システムの動作の一例を示すシーケンス図である。
【図５】本実施形態における時計システムの動作の一例を示すシーケンス図である。
【図６】本実施形態における電子時計が実行する通信開始処理の処理手順を示したフローチャートである。
【図７】本実施形態における電子時計が実行する基準位置移動開始処理の処理手順を示したフローチャートである。
【図８】本実施形態における電子時計が実行する粗調整処理の処理手順を示したフローチャートである。
【図９】本実施形態における電子時計が実行する微調整処理の処理手順を示したフローチャートである。
【図１０】本実施形態における電子時計の微調整処理時における動作を示すタイミングチャートである。
【発明を実施するための形態】
【００１５】
以下、本発明の一実施形態について、図面を参照しながら説明する。図１は、本実施形態における時計システム１の構成を示した概略図である。図２は、本実施形態における電子時計１００の外観を示す正面図である。図示する例では、時計システム１は、携帯電子機器２００（通信機器）と、携帯電子機器２００と通信可能な電子時計１００とを備える。
【００１６】
電子時計１００は、秒針１２０Ａ、分針１２０Ｂ、時針１２０Ｃ、及び日車１２０Ｅにより、現在日時（日時分秒）を示すアナログの腕時計である。日車１２０Ｅは、日付等の文字情報が記載されており、一部分が電子時計１００の文字板の小窓から露出する円板（ディスク）である。日車１２０Ｅは、電子時計１００が備える指針に含まれる。また、電子時計１００は、２つの小時計１２０Ｄを備える。小時計１２０Ｄは、時分を示すものと、時間（２４時間）のみを示すものとがある。
【００１７】
図示する例では、電子時計１００は、制御部１０１と、発振回路１０２と、分周回路１０３と、入力部１０４と、記憶部１０５と、太陽電池１０６と、充放電制御回路１０７と、二次電池１０８と、電池電圧検出部１０９と、スイッチ１１０と、無線通信制御部１１１と、秒針１２０Ａと、分針１２０Ｂと、時針１２０Ｃと、小時計１２０Ｄと、日車１２０Ｅと、輪列機構１２１Ａと、輪列機構１２１Ｂと、輪列機構１２１Ｃと、輪列機構１２１Ｄと、輪列機構１２１Ｅと、ステッピングモータ１２２Ａと、ステッピングモータ１２２Ｂと、ステッピングモータ１２２Ｃと、ステッピングモータ１２２Ｄと、ステッピングモータ１２２Ｅとを備える。
【００１８】
以下、秒針１２０Ａと、分針１２０Ｂと、時針１２０Ｃと、小時計１２０Ｄと、日車１２０Ｅとを区別しない場合には、指針１２０と称する。また、輪列機構１２１Ａと、輪列機構１２１Ｂと、輪列機構１２１Ｃと、輪列機構１２１Ｄと、輪列機構１２１Ｅとを区別しない場合には、輪列機構１２１と称する。また、ステッピングモータ１２２Ａと、ステッピングモータ１２２Ｂと、ステッピングモータ１２２Ｃと、ステッピングモータ１２２Ｄと、ステッピングモータ１２２Ｅとを区別しない場合には、ステッピングモータ１２２と称する。
【００１９】
制御部１０１は、ＣＰＵ（Ｃｅｎｔｒａｌ  Ｐｒｏｃｅｓｓｉｎｇ  Ｕｎｉｔ）であり、電子時計１００が備える各部の制御を行う。制御部１０１は、電源制御部１０１１と、時刻カウント部１０１２と、通信制御部１０１３と、情報処理部１０１４と、情報送信部１０１５と、指針制御部１０１６とを備える。
【００２０】
電源制御部１０１１は、無線通信制御部１１１の電源のオンまたはオフを制御する。具体的には、電源制御部１０１１は、無線通信制御部１１１が携帯電子機器２００と通信するときにのみスイッチ１１０をオンにして二次電池１０８から無線通信制御部１１１に電力を供給する。また、電源制御部１０１１は、無線通信制御部１１１が携帯電子機器２００と通信しないときにはスイッチ１１０をオフにして二次電池１０８から無線通信制御部１１１に電力を供給しない。また、電源制御部１０１１は、電池電圧検出部１０９が検出した二次電池１０８の電圧値が所定値以下である場合には、スイッチ１１０をオフにして二次電池１０８から負荷回路である無線通信制御部１１１に電力を供給しない。
【００２１】
時刻カウント部１０１２は、内部カウンタを備え、分周回路１０３から入力された計測信号に基づいて現在日時（日時分秒）を計時し、計時した日時を示す指針位置情報を内部カウンタに保持する。通信制御部１０１３は、無線通信制御部１１１における通信を制御する。
【００２２】
情報処理部１０１４は、携帯電子機器２００に送信するデータを生成する。また、情報処理部１０１４は、携帯電子機器２００から受信したデータを処理する。情報送信部１０１５は、情報処理部１０１４が生成したデータを無線通信制御部１１１から携帯電子機器２００に送信する。
【００２３】
指針制御部１０１６は、指針１２０の位置を制御する。例えば、指針制御部１０１６は、ステッピングモータ１２２に駆動パルスを出力してステッピングモータ１２２を駆動し、指針１２０を移動させる。
【００２４】
発振回路１０２は、所定周波数（例えば、３２７６８Ｈｚ）の発振信号を生成して分周回路１０３に出力する。分周回路１０３は、発振回路１０２から入力された発振信号の周波数を分周して計測の基準となる計測信号を生成し、生成した計測信号を制御部１０１に出力する。
【００２５】
入力部１０４は、スイッチを備え、操作入力を受け付ける。なお、入力部１０４は、複数のスイッチから構成されていてもよいし、１つのスイッチから構成されていてもよい。
【００２６】
記憶部１０５は、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等から構成され、種々の情報を記憶する。また、記憶部１０５は、制御部１０１が実行する動作用プログラムを予め記憶している。この動作用プログラムは、制御部１０１の起動時に読み出される。
【００２７】
太陽電池１０６は、光（太陽、照明など）を受光して電気エネルギーに変換する発電部である。太陽電池１０６は、二次電池１０８を充電する。充放電制御回路１０７は、二次電池１０８における充放電を制御する。例えば、充放電制御回路１０７は、太陽電池１０６が発電した電気エネルギーを二次電池１０８に充電する。また、充放電制御回路１０７は、二次電池１０８の電圧が所定の電圧以上となった場合には、放電させる、もしくは充電を止める。二次電池１０８は、電子時計１００が備える各部に、動作するための電力を供給する。
【００２８】
電池電圧検出部１０９は、二次電池１０８の電圧を検出し、検出した電圧値を制御部１０１に出力する。スイッチ１１０は、二次電池１０８から無線通信制御部１１１への電力の供給をオンオフするためのスイッチである。
【００２９】
無線通信制御部１１１は、アンテナ１１１１と、近距離無線通信部１１１２とを備える。アンテナ１１１１は、近距離無線通信部１１１２が通信するためのアンテナである。近距離無線通信部１１１２は、ブルートゥース等の規格による近距離無線通信により他の通信機器（例えば、携帯電子機器２００）と通信する。
【００３０】
ステッピングモータ１２２は、パルス状の駆動信号を受けて所定角度（例えば、１８０°）ずつ回転するステッピングモータである。この１パルスに相当する所定角度の回転を１ステップと称する。ステッピングモータ１２２Ａは、輪列機構１２１Ａを回転させることにより秒針１２０Ａを移動させるステッピングモータである。ステッピングモータ１２２Ｂは、輪列機構１２１Ｂを回転させることにより分針１２０Ｂを移動させるステッピングモータである。ステッピングモータ１２２Ｃは、輪列機構１２１Ｃを回転させることにより時針１２０Ｃを移動させるステッピングモータである。ステッピングモータ１２２Ｄは、輪列機構１２１Ｄを回転させることにより小時計１２０Ｄの指針を移動させるステッピングモータである。ステッピングモータ１２２Ｅは、輪列機構１２１Ｅを回転させることにより日車１２０Ｅを移動させるステッピングモータである。時針１２０Ｃ及び分針１２０Ｂは、1周するために４８０ステップ必要となるように設定されている。また、秒針１２０Ａは、１周するために６０ステップ必要となるように設定されている。よって、ステッピングモータ１２２Ｃは、時針１２０Ｃを１時間分移動させるときには４０ステップ（４８０／１２目盛）駆動する。また、ステッピングモータ１２２Ｂは、分針１２０Ｂを１分間分移動させるときには８ステップ（４８０／６０目盛）駆動する。また、ステッピングモータ１２２Ａは、秒針１２０Ａを１秒間分移動させるときには１ステップ（６０／６０目盛）駆動する。
【００３１】
輪列機構１２１Ａは、秒針１２０Ａを回す輪列機構である。輪列機構１２１Ｂは、分針１２０Ｂを回す輪列機構である。輪列機構１２１Ｃは、時針１２０Ｃを回す輪列機構である。輪列機構１２１Ｄは、小時計１２０Ｄの指針を回す輪列機構である。輪列機構１２１Ｅは、日車１２０Ｅを回す輪列機構である。
【００３２】
また、携帯電子機器２００は、例えば、スマートフォンや、携帯電話機や、タブレット端末等の携帯可能な電子機器である。携帯電子機器２００は、制御部２０１と、入力部２０２と、表示部２０３と、記憶部２０４と、アンテナ２０５と、近距離無線通信部２０６とを備える。
【００３３】
制御部２０１は、ＣＰＵから構成され、携帯電子機器２００が備える各部の制御を行う。入力部２０２は、各種スイッチや表示部２０３の表示画面に設置されたタッチパネル等であり、入力を受け付ける。表示部２０３は、液晶ディスプレイ等であり、情報を表示する。記憶部２０４は、ＲＡＭやＲＯＭ等から構成され、種々の情報を記憶する。
【００３４】
アンテナ２０５は、近距離無線通信部２０６が通信するためのアンテナである。近距離無線通信部２０６は、ブルートゥース等の規格による近距離無線通信により他の通信機器（例えば、電子時計１００）と通信する。
【００３５】
次に、時計システム１における動作を説明する。時計システム１では、ブルートゥースを用いた近距離無線通信により、携帯電子機器２００から電子時計１００の指針１２０の位置を修正する。図３は、本実施形態における指針位置修正方法について説明するための図である。
【００３６】
まず、携帯電子機器２００の制御部２０１は、電子時計１００の設定に関するアプリケーションを実行し、メインメニュー画面Ａ１を表示部２０３に表示する。メインメニュー画面Ａ１には、電子時計１００の設定に関するメニューの一覧が選択可能に表示されている。図示する例では、メニューとして、都市設定Ａ１１と、アラーム設定Ａ１２と、指針位置設定Ａ１３とがメインメニュー画面Ａ１に表示されている。また、メインメニュー画面Ａ１には、電子時計１００に情報を送信するための送信ボタンＡ１０が表示されている。
【００３７】
ユーザは、電子時計１００の指針１２０の位置を修正するために、まず、電子時計１００に所定のボタン操作をすることにより、電子時計１００における通信を開始させる。電子時計１００の制御部１０１は、無線通信制御部１１１の電源をオンにして、アドバタイズを送信させる。続いて、ユーザは、メインメニュー画面Ａ１において、指針位置設定Ａ１３を選択した後、送信ボタンＡ１０を押下する。携帯電子機器２００の制御部２０１は、指針位置設定Ａ１３が選択された状態で送信ボタンＡ１０が入力を受け付けると、近距離無線通信部２０６においてスキャンを開始する。そして、携帯電子機器２００の制御部２０１は、アドバタイズを受信して、電子時計１００との接続が確立すると、電子時計１００の指針１２０を基準位置に対応する暫定指針位置に移動させる第１モードになり、電子時計１００の指針１２０の位置を基準位置に移動させる指示である指針位置修正開始コマンド（指針位置修正情報）を近距離無線通信部２０６から電子時計１００に送信する。本例では、基準位置を００時００分００秒とする。その後、携帯電子機器２００の制御部２０１は、暫定指針位置を特定する暫定指針位置特定情報が入力される指針位置粗調整画面Ａ２（第１入力部）を表示部２０３に表示する。
【００３８】
電子時計１００の制御部１０１は、指針位置修正開始コマンドを携帯電子機器２００から受信すると、指針１２０の位置が基準位置になるように、内部カウンタの指針位置情報を更新しながら指針１２０を移動させる基準位置移動開始処理を開始する。しかしながら、内部カウンタの指針位置情報と実際の指針１２０の位置とがずれている場合には、指針１２０の位置が基準位置にならない。図示する例では、電子時計１００は、指針１２０が０８時３５分２０秒を指す状態Ｂ１のときに指針位置修正開始コマンドを受信し、０９時５２分０７秒を指す状態Ｂ２の位置に指針１２０を移動させている。状態Ｂ２において、電子時計１００の内部カウンタの指針位置情報は基準位置（００時００分００秒）であり、実際の指針１２０の位置とはずれがある。
【００３９】
ユーザは、移動後の指針１２０の状態Ｂ２を目視により確認し、指針位置粗調整画面Ａ２に入力する。指針位置粗調整画面Ａ２には、電子時計１００の時針１２０Ｃが示す時を入力する時入力ボックスＡ２１と、分針１２０Ｂが示す分を入力する分入力ボックスＡ２２と、秒針１２０Ａが示す秒を入力する秒入力ボックスＡ２３と、入力した時分秒を電子時計１００に送信するための送信ボタンＡ２０が表示されている。
【００４０】
指針位置粗調整画面Ａ３に示す例では、時入力ボックスＡ２１に９が入力され、分入力ボックスＡ２２に５２が入力され、秒入力ボックスＡ２３に７が入力されている。ユーザは、時分秒の入力が完了すると、送信ボタンＡ２０を押下する。携帯電子機器２００の制御部２０１は、指針位置粗調整画面Ａ３に示す入力状態において、送信ボタンＡ２０が入力を受け付けると、指針１２０を暫定指針位置から粗調指針位置に移動させる第２モードとなり、指針位置粗調整画面Ａ３に入力された時分秒を含む指針位置粗調整コマンド（暫定指針位置特定情報）を近距離無線通信部２０６から電子時計１００に送信する。その後、携帯電子機器２００の制御部２０１は、指針１２０の位置の移動指示を入力可能な指針位置微調整画面Ａ４（第２入力部）を表示部２０３に表示する。
【００４１】
電子時計１００の制御部１０１は、指針位置粗調整コマンドを受信すると、受信した指針位置粗調整コマンドに含まれる時分秒と基準位置との差分だけ、指針１２０を基準位置に向けて移動させる粗調整処理を開始する。図示する例では、電子時計１００は、０９時５２分０７秒を指す状態Ｂ３のときに、指針位置粗調整コマンドを受信し、１１時５９分００秒を指す状態Ｂ４の位置に指針１２０を移動させている。状態Ｂ４において、内部カウンタの指針位置情報は基準位置である。また、状態Ｂ４における指針１２０の位置は基準位置と微差がある。その理由は、指針位置粗調整画面Ａ３において時分秒が入力された時点で、時針１２０Ｃは９時ちょうどではなく、９時±１時間（±３０°／４０ステップ相当）ずれており、分針１２０Ｂも５２分ちょうどではなく、５２分±１分間(±６°/８ステップ相当)ずれており、秒針１２０Ａも７秒ちょうどではなく、７秒±１秒間(±６°/８ステップ相当)ずれているためである。但し、秒針１２０Ａのずれは秒桁未満となり時間のズレとして極小である。
【００４２】
そのため、ユーザは、指針位置微調整画面Ａ４において、電子時計１００の指針１２０の位置を微調整する。指針位置微調整画面Ａ４には、ユーザに基準位置を教えるための静止画Ａ４１と、時針１２０Ｃを選択する時ボタンＡ４２と、分針１２０Ｂを選択する分ボタンＡ４３と、秒針１２０Ａを選択する秒ボタンＡ４４と、指針１２０を１つずつ単発で戻す戻るボタンＡ４５と、指針１２０を１つずつ単発で進める進むボタンＡ４６と、指針１２０を連続で戻す連続戻るボタンＡ４７と、指針１２０を連続で進める連続進むボタンＡ４８と、設定した指針１２０の位置を確定するための確定ボタンＡ４９とが表示されている。ユーザは、微調整したい指針１２０をボタンＡ４２〜Ａ４４により選択し、ボタンＡ４５〜Ａ４８のうちいずれかを押下することにより、指針１２０の位置を微調整する。
【００４３】
携帯電子機器２００の制御部２０１は、粗調指針位置を微調整する第３モードとなり、指針位置微調整画面Ａ４において選択された指針１２０と、指針１２０の駆動方向（戻るまたは進む）と、連続又は単発の駆動種別とを含む指針１２０の位置の移動指示である指針位置微調整コマンドを近距離無線通信部２０６から電子時計１００に送信する。電子時計１００の制御部１０１は、指針位置微調整コマンドを受信すると、受信した指針位置微調整コマンドに従って、指針１２０を移動させる微調整処理を開始する。例えば、電子時計１００の制御部１０１は、戻るボタン４５又は進むボタン４６が押下される毎に、対応する指針１２０のステッピングモータ１２２を１ステップ分駆動する。また、電子時計１００の制御部１０１は、連続戻るボタンＡ４７及び連続進むボタンＡ４８が押下されている間、対応する指針１２０のステッピングモータ１２２を駆動し続ける。
【００４４】
このように微調整することで、指針１２０の位置が基準位置へ移動し、状態Ｂ５となる。状態Ｂ５において、内部カウンタの指針位置情報は基準位置を示しており、指針１２０の位置と一致する。ユーザは、指針１２０の位置が基準位置になったことを目視により確認すると、確定ボタンＡ４９を押下する。携帯電子機器２００の制御部２０１は、確定ボタンＡ４９が入力を受け付けると、指針位置設定を終了し、表示部２０３の表示をメインメニュー画面Ａ１に戻す。
【００４５】
なお、図示する例では、秒針１２０Ａ、分針１２０Ｂ、及び時針１２０Ｃを修正する場合について説明したが、これに限らず、小時計１２０Ｄや日車１２０Ｅも同様に修正することができる。例えば、日車１２０Ｅの基準位置は１日であり、小時計１２０Ｄの基準位置は００時００分（２４時）である。
【００４６】
また、上述した例では、基準位置を００時００分００秒としたが、基準位置はこれに限らず、例えば現在日時であってもよい。
【００４７】
電子時計１００は、サイズ面から電池に制約があり、無線通信制御部１１１による通信とステッピングモータ１２２の駆動とを同時に行うことが困難となる。近距離無線通信部１１１２及び近距離無線通信部２０６は、周期的な通信電波により通信を行い、当該通信電波の通信タイミングが完了した際に通信電波完了信号を出力する。このため、上述したように電子時計１００の指針１２０の位置を修正する場合、状態Ｂ１から状態Ｂ５の間、通信の接続を確立したままにすると、周期的な通信電波の通信タイミングの際にステッピングモータ１２２の駆動を一旦停止しなければならず、調整に時間がかかることがある。
【００４８】
そのため、本実施形態では、電子時計１００は、状態Ｂ１から状態Ｂ２までの期間及び状態Ｂ３から状態Ｂ４までの期間は携帯電子機器２００との通信の接続を切断し、指針１２０の移動が完了した後に通信の接続を再確立する。
【００４９】
例えば、電子時計１００の制御部１０１は、無線通信制御部１１１が携帯電子機器２００と通信を確立した後に携帯電子機器２００から指針位置修正開始コマンドを受信すると、当該指針位置修正開始コマンドに基づき指針位置修正を行う。このとき、制御部１０１は、指針位置修正開始コマンドした後、もしくはその後の切断コマンドを受信した後に携帯電子機器２００との通信を切断し、携帯電子機器２００との通信が切断した後に指針位置修正を開始し、指針位置修正の完了後に携帯電子機器２００との通信を再確立させる。指針位置修正は、基準位置に対応する暫定指針位置まで内部カウントを更新しながらステッピングモータ１２２により指針１２０を移動させる動作を含む。また、制御部１０１は、無線通信制御部１１１が指針位置粗調整コマンドを受信すると、携帯電子機器２００との通信を切断し、携帯電子機器２００との通信が切断した後に、指針位置粗調整コマンドに基づいて基準位置に向けて内部カウンタを更新しつつ指針１２０をステッピングモータ１２２により移動させることで指針１２０を粗調指針位置まで移動させ、移動の完了後に携帯電子機器２００との通信を再確立させる。
【００５０】
また、制御部１０１は、指針１２０の位置の移動指示である指針位置微調整コマンドを無線通信制御部１１１が受信すると、携帯電子機器２００との通信を維持したまま、当該移動指示に基づき指針１２０を移動させる。このとき、制御部１０１は、近距離無線通信部１１１２より発せられる通信電波完了信号を起点とした運針駆動許可期間の間だけステッピングモータ１２２の駆動を許可する。よって、ステッピングモータ１２２は、運針駆動許可期間の間に、指針１２０を移動させる。
【００５１】
具体的には、電子時計１００は、以下の２つの方法いずれかにより、携帯電子機器２００との通信の接続を切断する。
【００５２】
第１の方法では、電子時計１００が自動的に通信の接続を切断する。図４は、本実施形態における時計システム１の動作の一例を示すシーケンス図である。本図には、電子時計１００が自動的に通信の接続を切断する場合の動作を示している。
【００５３】
（ステップＳ１０１）まず、電子時計１００は、無線通信制御部１１１による通信を開始するための所定のボタン操作を入力部１０４により受け付ける。その後、ステップＳ１０２の処理に進む。
（ステップＳ１０２）電子時計１００は、無線通信制御部１１１の電源をオンにする。その後、ステップＳ１０５の処理に進む。
【００５４】
（ステップＳ１０３）一方、携帯電子機器２００は、電子時計１００の設定に関するアプリケーションを起動する。そして、近距離無線通信部２０６による通信をオンにする。その後、ステップＳ１０４の処理に進む。
（ステップＳ１０４）携帯電子機器２００は、スキャンを開始する。
【００５５】
（ステップＳ１０５）電子時計１００は、アドバタイズを送信する。
（ステップＳ１０６）携帯電子機器２００は、電子時計１００からアドバタイズを受信すると、電子時計１００に接続要求を送信する。
（ステップＳ１０７）電子時計１００及び携帯電子機器２００は、電子時計１００が携帯電子機器２００からの接続要求を受信すると、接続を確立させる。
【００５６】
（ステップＳ１０８）電子時計１００は、接続が確立すると、接続完了応答を携帯電子機器２００に送信する。
（ステップＳ１０９）携帯電子機器２００は、電子時計１００から接続完了応答を受信すると、指針位置修正開始コマンドを電子時計１００に送信する。
【００５７】
（ステップＳ１１０）電子時計１００は、指針位置修正開始コマンドを受信すると、無線通信制御部１１１の電源をオフにする。その後、ステップＳ１１１の処理に進む。
（ステップＳ１１１）電子時計１００は、指針１２０を全て基準位置（暫定指針位置）に向けて移動させる。その後、ステップＳ１１２の処理に進む。
（ステップＳ１１２）電子時計１００は、無線通信制御部１１１の電源をオンにする。その後、ステップＳ１１３の処理に進む。
【００５８】
（ステップＳ１１３）電子時計１００は、アドバタイズを送信する。
（ステップＳ１１４）携帯電子機器２００は、電子時計１００からアドバタイズを受信すると、電子時計１００に接続要求を送信する。
（ステップＳ１１５）電子時計１００及び携帯電子機器２００は、電子時計１００が携帯電子機器２００からの接続要求を受信すると、接続を確立させる。
【００５９】
（ステップＳ１１６）電子時計１００は、接続が確立すると、接続完了応答を携帯電子機器２００に送信する。
（ステップＳ１１７）携帯電子機器２００は、電子時計１００から接続完了応答を受信すると、指針位置粗調整コマンドを電子時計１００に送信する。
【００６０】
（ステップＳ１１８）電子時計１００は、指針位置粗調整コマンドを受信すると、無線通信制御部１１１の電源をオフにする。その後、ステップＳ１１９の処理に進む。
（ステップＳ１１９）電子時計１００は、指針位置粗調整コマンドに基づき内部カウンタが示す指針位置情報を更新し、再度指針１２０を全て基準位置（粗調指針位置）まで移動させる。その後、ステップＳ１２０の処理に進む。
（ステップＳ１２０）電子時計１００は、無線通信制御部１１１の電源をオンにする。その後、ステップＳ１２１の処理に進む。
【００６１】
（ステップＳ１２１）電子時計１００は、アドバタイズを送信する。
（ステップＳ１２２）携帯電子機器２００は、電子時計１００からアドバタイズを受信すると、電子時計１００に接続要求を送信する。
（ステップＳ１２３）電子時計１００及び携帯電子機器２００は、電子時計１００が携帯電子機器２００からの接続要求を受信すると、接続を確立させる。
【００６２】
（ステップＳ１２４）電子時計１００は、接続が確立すると、接続完了応答を携帯電子機器２００に送信する。
（ステップＳ１２５）携帯電子機器２００は、電子時計１００から接続完了応答を受信すると、指針位置微調整コマンドを電子時計１００に送信する。
【００６３】
（ステップＳ１２６）電子時計１００は、携帯電子機器２００から指針位置微調整コマンドを受信すると、指針位置微調整コマンドに対する受信応答を携帯電子機器２００に送信する。その後、ステップＳ１２７の処理に進む。
（ステップＳ１２７）電子時計１００は、指針位置微調整コマンドに基づいて、ステッピングモータ１２２を駆動させて指針１２０を移動させる。その後、指針位置微調整画面Ａ４における入力に応じて、ステップＳ１２５〜Ｓ１２７の処理を繰り返す。
【００６４】
（ステップＳ１２８）携帯電子機器２００は、指針位置微調整画面Ａ４に表示された確定ボタンＡ４９が入力を受け付けると、通信切断要求を電子時計１００に送信する。
（ステップＳ１２９）電子時計１００は、通信切断要求を受信すると、無線通信制御部１１１の電源をオフにする。なお、電子時計１００は、所定時間以上携帯電子機器２００との間に有効なデータ通信がない場合にも、無線通信制御部１１１の電源をオフにする。その後、処理を終了する。
【００６５】
第２の方法では、携帯電子機器２００から電子時計１００に通信の切断を要求する通信切断要求を送信して通信の接続を切断する。図５は、本実施形態における時計システム１の動作の一例を示すシーケンス図である。本図には、携帯電子機器２００から電子時計１００に通信切断要求を送信して通信の接続を切断する場合の動作を示している。
【００６６】
（ステップＳ２０１）まず、電子時計１００は、無線通信制御部１１１による通信を開始するための所定のボタン操作を入力部１０４により受け付ける。その後、ステップＳ２０２の処理に進む。
（ステップＳ２０２）電子時計１００は、無線通信制御部１１１の電源をオンにする。その後、ステップＳ２０５の処理に進む。
【００６７】
（ステップＳ２０３）一方、携帯電子機器２００は、電子時計１００の設定に関するアプリケーションを起動する。そして、近距離無線通信部２０６による通信をオンにする。その後、ステップＳ２０４の処理に進む。
（ステップＳ２０４）携帯電子機器２００は、スキャンを開始する。
【００６８】
（ステップＳ２０５）電子時計１００は、アドバタイズを送信する。
（ステップＳ２０６）携帯電子機器２００は、電子時計１００からアドバタイズを受信すると、電子時計１００に接続要求を送信する。
（ステップＳ２０７）電子時計１００及び携帯電子機器２００は、電子時計１００が携帯電子機器２００からの接続要求を受信すると、接続を確立させる。
【００６９】
（ステップＳ２０８）電子時計１００は、接続が確立すると、接続完了応答を携帯電子機器２００に送信する。
（ステップＳ２０９）携帯電子機器２００は、電子時計１００から接続完了応答を受信すると、指針位置修正開始コマンドを電子時計１００に送信する。
【００７０】
（ステップＳ２１０）電子時計１００は、指針位置修正開始コマンドを受信すると、指針位置修正開始コマンドに対する受信応答を携帯電子機器２００に送信する。
（ステップＳ２１１）携帯電子機器２００は、指針位置修正開始コマンドに対する受信応答を受信すると、通信切断要求を電子時計１００に送信する。
【００７１】
（ステップＳ２１２）電子時計１００は、無線通信制御部１１１の電源をオフにする。その後、ステップＳ２１３の処理に進む。
（ステップＳ２１３）電子時計１００は、指針１２０を全て基準位置（暫定指針位置）まで移動させる。その後、ステップＳ２１４の処理に進む。
（ステップＳ２１４）電子時計１００は、無線通信制御部１１１の電源をオンにする。その後、ステップＳ２１５の処理に進む。
【００７２】
（ステップＳ２１５）電子時計１００は、アドバタイズを送信する。
（ステップＳ２１６）携帯電子機器２００は、電子時計１００からアドバタイズを受信すると、電子時計１００に接続要求を送信する。
（ステップＳ２１７）電子時計１００及び携帯電子機器２００は、電子時計１００が携帯電子機器２００からの接続要求を受信すると、接続を確立させる。
【００７３】
（ステップＳ２１８）電子時計１００は、接続が確立すると、接続完了応答を携帯電子機器２００に送信する。
（ステップＳ２１９）携帯電子機器２００は、電子時計１００から接続完了応答を受信すると、指針位置粗調整コマンドを電子時計１００に送信する。
【００７４】
（ステップＳ２２０）電子時計１００は、指針位置粗調整コマンドを受信すると、指針位置粗調整コマンドに対する受信応答を携帯電子機器２００に送信する。
（ステップＳ２２１）携帯電子機器２００は、指針位置粗調整コマンドに対する受信応答を受信すると、通信切断要求を携帯電子機器２００に送信する。
【００７５】
（ステップＳ２２２）電子時計１００は、通信切断要求を受信すると、無線通信制御部１１１の電源をオフにする。その後、ステップＳ２２３の処理に進む。
（ステップＳ２２３）電子時計１００は、指針位置粗調整コマンドに基づき内部カウンタが示す指針位置情報を更新し、再度指針１２０を全て基準位置（粗調指針位置）まで移動させる。その後、ステップＳ２２４の処理に進む。
（ステップＳ２２４）電子時計１００は、無線通信制御部１１１の電源をオンにする。その後、ステップＳ２２５の処理に進む。
【００７６】
（ステップＳ２２５）電子時計１００は、アドバタイズを送信する。
（ステップＳ２２６）携帯電子機器２００は、電子時計１００からアドバタイズを受信すると、電子時計１００に接続要求を送信する。
（ステップＳ２２７）電子時計１００及び携帯電子機器２００は、電子時計１００が携帯電子機器２００からの接続要求を受信すると、接続を確立させる。
【００７７】
（ステップＳ２２８）電子時計１００は、接続が確立すると、接続完了応答を携帯電子機器２００に送信する。
（ステップＳ２２９）携帯電子機器２００は、電子時計１００から接続完了応答を受信すると、指針位置微調整コマンドを電子時計１００に送信する。
【００７８】
（ステップＳ２３０）電子時計１００は、携帯電子機器２００から指針位置微調整コマンドを受信すると、指針位置微調整コマンドに対する受信応答を携帯電子機器２００に送信する。その後、ステップＳ２３１の処理に進む。
（ステップＳ２３１）電子時計１００は、指針位置微調整コマンドに基づいて、ステッピングモータ１２２を駆動させて指針１２０を移動させる。その後、指針位置微調整画面Ａ４における入力に応じて、ステップＳ２２９〜Ｓ２３１の処理を繰り返す。
【００７９】
（ステップＳ２３２）携帯電子機器２００は、指針位置微調整画面Ａ４に表示された確定ボタンＡ４９が入力を受け付けると、通信切断要求を電子時計１００に送信する。
（ステップＳ２３３）電子時計１００は、通信切断要求を受信すると、無線通信制御部１１１の電源をオフにする。なお、電子時計１００は、所定時間以上携帯電子機器２００との間に有効なデータ通信がない場合にも、無線通信制御部１１１の電源をオフにする。その後、処理を終了する。
【００８０】
図６は、本実施形態における電子時計１００が実行する通信開始処理の処理手順を示したフローチャートである。本図に示す処理は、上述したステップＳ１０１〜Ｓ１０８又はＳ２０１〜２０８の処理に対応する。
【００８１】
（ステップＳ３０１）制御部１０１は、無線通信制御部１１１による通信を開始するための所定のボタン操作を入力部１０４が受け付けたか否かを判定する。操作を受け付けたと制御部１０１が判定した場合には、ステップＳ３０２の処理に進む。また、操作を受け付けていないと制御部１０１が判定した場合には、ステップＳ３０１の処理を再度実行する。
【００８２】
（ステップＳ３０２）制御部１０１は、スイッチ１１０をオンにして無線通信制御部１１１の電源をオンにする。その後、ステップＳ３０３の処理に進む。
（ステップＳ３０３）制御部１０１は、無線通信制御部１１１の起動が完了したか否かを判定する。起動が完了したと制御部１０１が判定した場合には、ステップＳ３０４の処理に進む。また、起動が完了していないと制御部１０１が判定した場合には、ステップＳ３０３の処理を再度実行する。
【００８３】
（ステップＳ３０４）制御部１０１は、無線通信制御部１１１へ通信開始を設定する。無線通信制御部１１１は、通信開始が設定されると、アドバタイズを送信する。その後、ステップＳ３０５の処理に進む。
（ステップＳ３０５）制御部１０１は、携帯電子機器２００との接続が確立されたか否かを判定する。接続が確立されたと制御部１０１が判定した場合には、ステップＳ３０６の処理に進む。また、接続が確立されていないと制御部１０１が判定した場合には、ステップＳ３０５の処理を再度実行する。
【００８４】
（ステップＳ３０６）制御部１０１は、無線通信制御部１１１を介して、通常の接続完了応答を携帯電子機器２００に送信する。その後、処理を終了する。
【００８５】
図７は、本実施形態における電子時計１００が実行する基準位置移動開始処理の処理手順を示したフローチャートである。本図に示す処理は、上述したステップＳ１０９〜Ｓ１１６又はＳ２０９〜Ｓ２１８の処理に対応する。
【００８６】
（ステップＳ４０１）制御部１０１は、携帯電子機器２００から指針位置修正開始コマンドを受信したか否かを判定する。指針位置修正開始コマンドを受信したと制御部１０１が判定した場合には、ステップＳ４０２の処理に進む。また、指針位置修正開始コマンドを受信していないと制御部１０１が判定した場合には、ステップＳ４０１の処理を再度実行する。
【００８７】
（ステップＳ４０２）制御部１０１は、スイッチ１１０をオフにして、無線通信制御部１１１の電源をオフにする。その後、ステップＳ４０３の処理に進む。
【００８８】
（ステップＳ４０３）制御部１０１は、ステッピングモータ１２２を駆動して、全ての指針１２０の基準位置への移動を開始する。その後、ステップＳ４０４の処理に進む。
（ステップＳ４０４）制御部１０１は、各指針１２０それぞれについて、基準位置までの駆動パルス数を算出する。その後、ステップＳ４０５の処理に進む。
【００８９】
（ステップＳ４０５）制御部１０１は、駆動パルスが全周の３分の１以下である場合には、正逆反転（すなわち、回転方向を反転）し、駆動パルス数を補正する。その後、ステップＳ４０６の処理に進む。
【００９０】
（ステップＳ４０６）制御部１０１は、各ステッピングモータ１２２に対して駆動パルスを出力する。その後、ステップＳ４０７の処理に進む。
（ステップＳ４０７）制御部１０１は、内部カウンタが示す各指針１２０の指針位置情報を更新する。その後、ステップＳ４０８の処理に進む。
【００９１】
（ステップＳ４０８）制御部１０１は、全ての指針１２０が基準位置に到達したか否かを判定する。全ての指針１２０が基準位置に到達したと制御部１０１が判定した場合には、ステップＳ４０９の処理に進む。また、基準位置に到達していない指針１２０があると制御部１０１が判定した場合には、ステップＳ４０６の処理に戻る。
【００９２】
（ステップＳ４０９）制御部１０１は、スイッチ１１０をオンにして無線通信制御部１１１の電源をオンにする。その後、ステップＳ４１０の処理に進む。
（ステップＳ４１０）制御部１０１は、無線通信制御部１１１の起動が完了したか否かを判定する。起動が完了したと制御部１０１が判定した場合には、ステップＳ４１１の処理に進む。また、起動が完了していないと制御部１０１が判定した場合には、ステップＳ４１０の処理を再度実行する。
【００９３】
（ステップＳ４１１）制御部１０１は、無線通信制御部１１１へ通信開始を設定する。無線通信制御部１１１は、通信開始が設定されると、アドバタイズを送信する。その後、ステップＳ４１２の処理に進む。
（ステップＳ４１２）制御部１０１は、携帯電子機器２００との接続が確立されたか否かを判定する。接続が確立されたと制御部１０１が判定した場合には、ステップＳ４１３の処理に進む。また、接続が確立されていないと制御部１０１が判定した場合には、ステップＳ４１２の処理を再度実行する。
【００９４】
（ステップＳ４１３）制御部１０１は、無線通信制御部１１１を介して、指針１２０の位置の修正を継続することを示す指針位置修正継続を含む接続完了応答を携帯電子機器２００に送信する。その後、処理を終了する。
【００９５】
図８は、本実施形態における電子時計１００が実行する粗調整処理の処理手順を示したフローチャートである。本図に示す処理は、上述したステップＳ１１７〜Ｓ１２４又はＳ２１９〜Ｓ２２８の処理に対応する。
【００９６】
（ステップＳ５０１）制御部１０１は、携帯電子機器２００から指針位置粗調整コマンドを受信したか否かを判定する。指針位置粗調整コマンドを受信したと制御部１０１が判定した場合には、ステップＳ５０２の処理に進む。また、指針位置粗調整コマンドを受信していないと制御部１０１が判定した場合には、ステップＳ５０１の処理を再度実行する。
【００９７】
（ステップＳ５０２）制御部１０１は、指針位置粗調整コマンドに含まれる指針位置情報を取得する。その後、ステップＳ５０３の処理に進む。
【００９８】
（ステップＳ５０３）制御部１０１は、受信した指針位置情報に基づいて、内部カウンタが示す指針１２０の指針位置情報を更新する。その後、ステップＳ５０４の処理に進む。
（ステップＳ５０４）制御部１０１は、スイッチ１１０をオフにして、無線通信制御部１１１の電源をオフにする。その後、ステップＳ５０５の処理に進む。
【００９９】
（ステップＳ５０５）制御部１０１は、ステッピングモータ１２２を駆動して、全ての指針１２０の基準位置への移動を開始する。その後、ステップＳ５０６の処理に進む。
（ステップＳ５０６）制御部１０１は、各指針１２０それぞれについて、基準位置までの駆動パルス数を算出する。その後、ステップＳ５０７の処理に進む。
【０１００】
（ステップＳ５０７）制御部１０１は、駆動パルスが全周の３分の１以下である場合には、正逆反転し、駆動パルス数を補正する。その後、ステップＳ５０８の処理に進む。
【０１０１】
（ステップＳ５０８）制御部１０１は、各ステッピングモータ１２２に対して駆動パルスを出力する。その後、ステップＳ５０９の処理に進む。
（ステップＳ５０９）制御部１０１は、内部カウンタが示す各指針１２０の指針位置情報を更新する。その後、ステップＳ５１０の処理に進む。
【０１０２】
（ステップＳ５１０）制御部１０１は、全ての指針１２０が基準位置に到達したか否かを判定する。全ての指針１２０が基準位置に到達したと制御部１０１が判定した場合には、ステップＳ５１１の処理に進む。また、基準位置に到達していない指針があると制御部１０１が判定した場合には、ステップＳ５０８の処理に戻る。
【０１０３】
（ステップＳ５１１）制御部１０１は、スイッチ１１０をオンにして無線通信制御部１１１の電源をオンにする。その後、ステップＳ５１２の処理に進む。
（ステップＳ５１２）制御部１０１は、無線通信制御部１１１の起動が完了したか否かを判定する。起動が完了したと制御部１０１が判定した場合には、ステップＳ５１３の処理に進む。また、起動が完了していないと制御部１０１が判定した場合には、ステップＳ５１２の処理を再度実行する。
【０１０４】
（ステップＳ５１３）制御部１０１は、無線通信制御部１１１へ通信開始を設定する。無線通信制御部１１１は、通信開始が設定されると、アドバタイズを送信する。その後、ステップＳ５１４の処理に進む。
（ステップＳ５１４）制御部１０１は、携帯電子機器２００との接続が確立されたか否かを判定する。接続が確立されたと制御部１０１が判定した場合には、ステップＳ５１５の処理に進む。また、接続が確立されていないと制御部１０１が判定した場合には、ステップＳ５１４の処理を再度実行する。
【０１０５】
（ステップＳ５１５）制御部１０１は、無線通信制御部１１１を介して、指針位置修正継続を含む接続完了応答を携帯電子機器２００に送信する。その後、処理を終了する。
【０１０６】
図９は、本実施形態における電子時計１００が実行する微調整処理の処理手順を示したフローチャートである。本図に示す処理は、上述したステップＳ１２５〜Ｓ１２７又はＳ２２９〜Ｓ２３１の処理に対応する。
【０１０７】
（ステップＳ６０１）制御部１０１は、携帯電子機器２００から指針位置微調整コマンドを受信したか否かを判定する。指針位置微調整コマンドを受信したと制御部１０１が判定した場合には、ステップＳ６０２の処理に進む。また、指針位置微調整コマンドを受信していないと制御部１０１が判定した場合には、ステップＳ６０１の処理を再度実行する。
【０１０８】
（ステップＳ６０２）制御部１０１は、受信した指針位置微調整コマンドから対象の指針１２０、指針１２０の駆動方向、連続又は単発の駆動種別を判別する。その後、ステップＳ６０３の処理に進む。
【０１０９】
（ステップＳ６０３）制御部１０１は、指針位置微調整コマンドに対する受信応答である指針位置微調整コマンド正常受信を携帯電子機器２００に送信する。その後、ステップＳ６０４の処理に進む。
（ステップＳ６０４）制御部１０１は、ステップＳ６０２において判別した情報に基づいて、指針１２０の移動を開始する。その後、処理を終了する。
【０１１０】
ここで、電子時計１００の制御部１０１は、微調整処理の際、近距離無線通信部１１１２より発せられる通信電波完了信号を起点とした運針駆動許可期間の間だけステッピングモータ１２２の駆動を許可する。なお、近距離無線通信部１１１２は、データの送受信が完了したとき、データの送受信が完了したことを示す通信電波完了信号を生成し、生成した通信電波完了信号を制御部１０１に出力する。また、運針駆動許可期間とは、ステッピングモータ１２２によって指針１２０の駆動を許可する期間である。ステッピングモータ１２２は、運針駆動許可期間の間に、指針１２０を移動させる。
【０１１１】
図１０は、本実施形態における電子時計１００の微調整処理時における動作を示すタイミングチャートである。本図には、電子時計１００と携帯電子機器２００との通信接続が確立した接続状態時に、微調整処理する際の動作例を示している。本図において、符号ｇ１は、無線通信制御部１１１がデータを送受信している状態を表している。符号ｇ２は、通信制御部１０１３が、無線通信制御部１１１が出力する通信電波完了信号を受け取るタイミングを表している。また、Ｔ２は、通信電波完了信号を受け取ったタイミングから設定する運針駆動許可期間を表している。符号ｇ４は、指針制御部１０１６が、ステッピングモータ１２２へ駆動パルスを出力するタイミング、すなわち実際に運針が行われる運針タイミングを表している。
【０１１２】
例えば、制御部１０１は、ｔ１６におけるサンプリング電波ｇ１に指針位置微調整コマンドが含まれている場合には、何等かの処理遅れののち、ｔ１７を起点に設定された運針駆動許可期間Ｔ２内のｔ１８を運針タイミングとし、駆動パルスを生成して、生成した駆動パルスをステッピングモータ１２２へ出力する。なお、何等かの処理遅れは、同時処理の負荷や負荷数等に影響される。
【０１１３】
一方、制御部１０１は、何等かの処理遅れにより、ｔ１６におけるサンプリング電波ｇ１で受信した指針位置微調整コマンドの指示を運針駆動許可期間Ｔ２外のｔ１９〜ｔ２０の期間に処理しようとする場合には、次の運針駆動許可期間Ｔ２まで待機し、次の運針駆動許可期間Ｔ２内のｔ２２〜ｔ２３を運針タイミングとし、駆動パルスを生成し、生成した駆動パルスをステッピングモータ１２２へ出力する。
【０１１４】
すなわち、制御部１０１は、運針駆動許可期間Ｔ２のみを運針タイミングとする。よって、制御部１０１は、運針駆動許可期間Ｔ２のみに指針１２０を移動させ、運針駆動許可期間Ｔ２以外では指針１２０を移動させない。
【０１１５】
なお、制御部１０１は、通信中のサンプリング電波ｇ１に指針位置微調整コマンドが含まれていない場合には、ｔ２５〜ｔ２６に示すように、駆動パルスを生成しない。
【０１１６】
以上のように、微調処理における指針位置の修正は、電子時計１００と携帯電子機器２００との接続状態（通信接続を維持した状態）において行われる。
【０１１７】
上述したとおり、本実施形態における時計システム１は、携帯電子機器２００と携帯電子機器２００と通信可能な電子時計１００とを備える。電子時計１００は、携帯電子機器２００と通信する近距離無線通信部１１１２と、近距離無線通信部１１１２が携帯電子機器２００との通信を確立した後に携帯電子機器２００から指針位置修正情報を受信すると、指針位置修正情報に基づき指針位置修正を行う制御部１０１と、を備える。電子時計１００と携帯電子機器２００とは、電子時計１００が指針位置修正情報を受信した後に通信を切断する。また、制御部１０１は、携帯電子機器２００との通信が切断した後に、指針位置修正を開始し、当該指針位置修正の完了後に携帯電子機器２００との通信を再確立させる。
【０１１８】
これにより、電子時計１００は、指針位置修正のためのステッピングモータ１２２の駆動中に通信をする必要がなくなり、効率的に指針１２０の位置を修正することができる。
【０１１９】
また、指針位置修正は、基準値に対応する暫定指針位置まで内部カウンタを更新しながらステッピングモータ１２２により指針１２０を移動させる動作を含み、携帯電子機器２００は、電子時計１００と通信する近距離無線通信部２０６と、暫定指針位置を特定する暫定指針位置特定情報が入力される入力部２０２と、近距離無線通信部２０６が電子時計１００との通信を再確立した後、暫定指針位置特定情報を電子時計１００に送信する制御部２０１と、を備える。電子時計１００と携帯電子機器２００とは、電子時計１００が暫定指針位置特定情報を受信した後に通信を切断し、制御部１０１は、携帯電子機器２００との通信が切断した後に、受信した暫定指針位置特定情報に基づいて基準値に向けて内部カウンタを更新しつつ指針１２０をステッピングモータ１２２により移動させることで指針１２０を粗調指針位置まで移動させ、移動の完了後に携帯電子機器２００との通信を再確立させることを特徴とする。
【０１２０】
これにより、電子時計１００は、指針１２０を暫定指針位置から粗調指針位置まで移動させる粗調整のためのステッピングモータ１２２の駆動中に通信をする必要がなくなり、効率的に指針１２０の位置を修正することができる。
【０１２１】
また、携帯電子機器２００は、指針１２０の位置の移動指示を入力可能な入力部２０２を備える。また、制御部１０１は、入力部２０２に入力された移動指示に基づき指針１２０を移動させる。これにより、粗調指針位置にある指針１２０を微調整することができる。
【０１２２】
また、近距離無線通信部１１１２は、周期的な通信電波により通信を行い、当該通信電波の通信タイミングが完了した際に通信電波完了信号を出力し、制御部１０１は、通信電波完了信号を起点とした運針駆動許可期間の間だけステッピングモータ１２２の駆動を許可し、ステッピングモータ１２２は、運針駆動許可期間の間に、指針１２０を移動させる。これにより、電子時計１００において、微調整中に、通信タイミングとステッピングモータ１２２の駆動タイミングとが重なることを防ぐことができる。
【０１２３】
なお、上述した実施形態における電子時計１００または携帯電子機器２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１２４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２５】
以上、本発明の実施形態について説明したが、本発明は、上記実施形態に限定されるものではなく、本発明の趣旨を逸脱しない範囲において種々の変更を加えることが可能である。
【０１２６】
例えば、上述した実施形態では、電子時計１００は、無線通信制御部１１１の電源をオフにして携帯電子機器２００との通信の接続を切断しているが、これに限らず、通信を停止して携帯電子機器２００との通信の接続を切断してもよい。
【０１２７】
また、上述した実施形態では、指針１２０を暫定指針位置から粗調指針位置に移動させる粗調整処理を１回のみ行っているが、これに限らず、２回以上行えるようにしてもよい。例えば、携帯電子機器２００は、指針位置微調整画面から指針位置粗調整画面に戻れるようにしてもよい。
【０１２８】
また、上述した実施形態では、携帯電子機器２００は、指針位置粗調整画面において指針１２０の暫定指針位置を特定する暫定指針位置特定情報を入力しているが、これに限らず、例えば、時計のイラストを表示し、表示された時計の指針の位置をタッチパネルにより移動させることにより暫定指針位置特定情報を入力するようにしてもよい。或いは、カメラにより電子時計１００を撮像して指針１２０の位置を解析することにより、暫定指針位置特定情報を入力するようにしてもよい。
【０１２９】
また、上述した実施形態では、各指針１２０がそれぞれ対応する個々のステッピングモータ１２２の駆動により独立して移動する場合について説明したが、これに限らず、複数の指針１２０が１つのステッピングモータ１２２により連動して動くものであってもよい。例えば、秒針１２０Ａは独立して移動し、分針１２０Ｂ及び時針１２０Ｃは連動して移動するものであってもよい。或いは、時針１２０Ｃは独立して移動し、分針１２０Ｂ及び秒針１２０Ａは連動して移動するものであってもよい。また、時針１２０Ｃと日車１２０Ｅとが連動して移動するものであってもよい。
【符号の説明】
【０１３０】
１・・・時計システム、１００・・・電子時計、１０１・・・制御部、１０２・・・発振回路、１０３・・・分周回路、１０４・・・入力部、１０５・・・記憶部、１０６・・・太陽電池、１０７・・・充放電制御回路、１０８・・・二次電池、１０９・・・電池電圧検出部、１１０・・・スイッチ、１１１・・・無線通信制御部、１２０・・・指針、１２１・・・輪列機構、１２２・・・ステッピングモータ、２００・・携帯電子機器、２０１・・・制御部、２０２・・・入力部、２０３・・・表示部、２０４・・・記憶部、２０５・・・アンテナ、２０６・・・近距離無線通信部、１０１１・・・電源制御部、１０１２・・・時刻カウント部、１０１３・・・通信制御部、１０１４・・・情報処理部、１０１５・・・情報送信部、１０１６・・・指針制御部、１１１１・・・アンテナ、１１１２・・・近距離無線通信部
【図１】
2018124094.tif 000003
【図２】
2018124094.tif 000004
【図３】
2018124094.tif 000005
【図４】
2018124094.tif 000006
【図５】
2018124094.tif 000007
【図６】
2018124094.tif 000008
【図７】
2018124094.tif 000009
【図８】
2018124094.tif 000010
【図９】
2018124094.tif 000011
【図１０】
2018124094.tif 000012